(57)【特許請求の範囲】
【請求項１】
磁気式近接スイッチとマグネットが仕切り板を挟んで配置される磁気式近接スイッチ用のマグネット付き台（１５）また台座（３５）について、
マグネット付き台（１５）は小さな力で押すと変形可能な弾性部材で造られた成型品で、
マグネット付き台（１５）の形状は略三角錐形状または略ドーム形状で、その内側は空洞となっていて、
マグネット付き台（１５）の表側中央上部にはマグネットが嵌め込まれていて、
マグネット付き台（１５）の表側中央上部を押すと前記マグネットが磁気式近接スイッチに近づき、
マグネット付き台（１５）を押すのを解除すると前記空洞部内に徐々に空気が流入可能で、空気を吸い込み復元する時間を利用した簡易タイマーの機能を有するマグネット付き台（１５）または前記マグネット付き台（１５）用の台座（３５）を用いた磁気式近接スイッチ方式。
【請求項２】
マグネット付き台（１５）またはマグネット付き台（１５）用の台座（３５）が以下の(a)(b)(c)いずれか一つの形状を有することを特徴とした請求項1記載の磁気式近接スイッチ方式。
(a)マグネット付き台（１５）の溝部（１３）の近傍に極小孔を開けた形状
(b)マグネット付き台（１５）の内面形状を凸または凹にした形状
(c）台座（３５）にスリットを開けるか、または台座（３５）表面形状を凸または凹にした形状
【請求項３】
雑菌汚染などの心配がなく衛生的で防水安全性能を重視する水廻りにおいて、
生ゴミを粉砕処理するディスポーザの運転／停止用ＯＮ／ＯＦＦスイッチとして使用する前記磁気式近接スイッチ方式と制御用リレーとで構成する電気制御システムで、
モータ駆動中は同時に難聴の方や盲人の方に点灯や光点滅表示また音量で知らせる仕組み、また透過性の材質で造られたディスポーザの生ゴミ投入口部や粉砕室の外部から点灯また光点滅表示することで生ゴミ投入口から見え確認できるようにすることに加え、マグネット付き台（１５）から手を離せば安全に回転機器が停止可能となることを特徴とする請求項１または請求項２に記載の磁気式近接スイッチ方式。
【発明の詳細な説明】
【技術分野】
【０００１】
本発明は、生ゴミを粉砕処理するディスポーザの運転／停止用ＯＮ／ＯＦＦスイッチとして、特に、防水安全性能を重視する水廻りに使用する磁気式近接スイッチ方式と制御用リレー機構に関する。
【背景技術】
【０００２】
近年、居住者の多くが安全、安心また健康で快適な居住空間の提供を望み住宅等建物の付帯設備もかなり充実してきている。
その中で、米国など海外で普及している生ゴミを粉砕処理するディスポーザも日本国内で普及が進み始めている。
【０００３】
そこで、日本国内でのディスポーザの駆動方法に関し調査したところ、運転／停止用
ＯＮ／ＯＦＦスイッチの多くがディスポーザの蓋を利用する磁気式の近接スイッチ方式であったが、他一部は１００Ｖ電源から運転／停止用ＯＮ／ＯＦＦスイッチを通じて直接ディスポーザを駆動させる米国など海外の方式であった。
【０００４】
しかし、後者のＯＮ／ＯＦＦスイッチには直接１００Ｖ電圧と多くの電流が流れ危険であり、電気安全面からも水廻りの感電等電気災害事故を排除するためにも防水安全性能を高める必要があり、また、これからの高齢化社会を考えた場合、ＯＮ／ＯＦＦスイッチから手を離せばディスポーザ等の回転機器は自動停止することが望ましいことに着目した。
【先行技術文献】
【特許文献】
【０００５】
【特許文献１】特開２００３−１９７０７８号  公報
【特許文献２】特許３１６３０３８号  公報
【発明の概要】
【発明が解決しようとする課題】
【０００６】
上記の技術背景で述べた１００Ｖ電源から運転停止用ＯＮ／ＯＦＦスイッチを通じて直接ディスポーザを駆動させる米国など海外の方式は、ＯＮ／ＯＦＦスイッチに１００Ｖ電圧と多くの電流（モータの駆動時は突入電流として定格電流の略３倍の電流）が流れ危険であり、電気安全面からも水廻りの感電等電気災害事故を排除するためにも防水安全性能を高める必要性があった。
【０００７】
本発明は、各家庭の水廻りで雑菌汚染の心配が少なく衛生的でしかも感電等電気災害事故を排除できる防水安全性能の高い磁気式近接スイッチ方式と制御用リレーとで構成した磁気式近接スイッチ制御方式を普及させることで、一般家庭でも安心して簡単容易に使用できる生ゴミを粉砕処理するディスポーザ用ＯＮ／ＯＦＦスイッチの提供を目的とするものである。
【課題を解決するための手段】
【０００８】
前記の目的を達成するため本発明は以下の技術的手段を講じた。
第１に、
磁気式近接スイッチとマグネットが仕切り板を挟んで配置される磁気式近接スイッチ用のマグネット付き台（１５）また台座（３５）について、
マグネット付き台（１５）は小さな力で押すと変形可能な弾性部材で造られた成型品で、
マグネット付き台（１５）の形状は略三角錐形状または略ドーム形状で、その内側は空洞となっていて、
マグネット付き台（１５）の表側中央上部にはマグネットが嵌め込まれていて、
マグネット付き台（１５）の表側中央上部を押すと前記マグネットが磁気式近接スイッチに近づき、
マグネット付き台（１５）を押すのを解除すると前記空洞部内に徐々に空気が流入可能で、空気を吸い込み復元する時間を利用した簡易タイマーの機能を有するマグネット付き台（１５）または前記マグネット付き台（１５）用の台座（３５）を用いた磁気式近接スイッチ方式とすることで、水回りの衛生面の向上と感電等電気災害事故を排除できる。
【０００９】
第２に、
マグネット付き台（１５）またはマグネット付き台（１５）用の台座（３５）が以下の(a)(b)(c)いずれか一つの形状を有することを特徴とした磁気式近接スイッチ方式とした。
(a)マグネット付き台（１５）の溝部（１３）の近傍に極小孔を開けた形状
(b)マグネット付き台（１５）の内面形状を凸または凹にした形状
(c）台座（３５）にスリットを開けるか、または台座（３５）表面形状を凸または凹にした形状
【００１０】
第３に、
雑菌汚染などの心配がなく衛生的で防水安全性能を重視する水廻りにおいて、
生ゴミを粉砕処理するディスポーザの運転／停止用ＯＮ／ＯＦＦスイッチとして使用する前記磁気式近接スイッチ方式と制御用リレーとで構成する電気制御システムで、
モータ駆動中は同時に難聴の方や盲人の方に点灯や光点滅表示また音量で知らせる仕組み、また透過性の材質で造られたディスポーザの生ゴミ投入口部や粉砕室の外部から点灯また光点滅表示することで生ゴミ投入口から見え確認できるようにすることに加え、マグネット付き台（１５）から手を離せば安全に回転機器が停止可能となる磁気式近接スイッチ方式とした。
【発明の効果】
【００１１】
本発明は、水廻りの衛生面の向上また感電等電気災害事故を排除ができる人に優しい商品の提供ができ、またＯＮ／ＯＦＦスイッチから手を離せば回転機器が自動停止可能な安全スイッチの提供ができる。
【図面の簡単な説明】
【００１２】
【図１】本発明の実施形態で示す略三角錐形状のマグネット付き台と台座の断面図
【図２】同マグネット付き台と台座を真上から見た平面図
【発明を実施するための形態】
【００１３】
以下、本発明の実施形態を図１および図２に基づいて説明する。
【実施例１】
【００１４】
図１、磁気式近接スイッチ方式１は、略三角錐形状のマグネット付き台１５とその台座３５で、その中心線断面図である。
キッチンのワークトップ９５より若干低くなったシンクの縁上部周りのステンレ板４５の裏側面には磁気式近接スイッチ５５を取り付け固定している。
【００１５】
市売品の吸盤と前記吸盤用の接着剤付き樹脂性円盤板を利用し、前記吸盤にはリング型のマグネット２５を押し部１２の下の溝部１３に嵌め込みマグネット付き台１５とする。
そして、前記樹脂性円盤板を中心部近くまで細くスリット７７の形状に切り取って台座３５としステンレ板４５の表面に貼りつけている。
このマグネット付き台１５を指で押すとマグネット付き台１５と台座３５との接面周囲１１から空気が放出され簡単に潰れ、マグネット２５が磁気式近接スイッチ５５に近づくことで磁気式近接スイッチ５５が入り、また押すのを止め解除するとスリット７７からマグネット付き台１５の空洞部６７に空気が吸い込まれるためマグネット付き台１５は押す前の元の形状に戻りマグネット２５が離れることで切れる磁気式近接スイッチ方式１である。
したがって、人が離れれば自動的に回転機器が停止するので安全な磁気式近接スイッチ方式１である。
【００１６】
図２の磁気式近接スイッチ方式１は、略三角錐形状のマグネット付き台１５とその台座３５で、その平面図である。
樹脂性円盤板を中心部近くまで細くスリット７７の形状に切り取った台座３５のスリット７７の切り取り幅を調整することで、マグネット付き台１５の空洞部６７に空気が吸い込まれマグネット付き台１５が押す前の元の形状に戻る時間を調整できるので簡易タイマーとして利用できる。
したがって、スリット７７の幅を極細にすればするほどタイマーの時間が長くできる。
【００１７】
他に、マグネット付き台１５の空洞部６７に空気が吸い込まれマグネット付き台１５が押す前の元の形状に戻る時間を調整でき簡易タイマーとして利用するやり方には次の別な方法がある。
例えばＡ、マグネット付き台１５の溝部１３の近傍に極小孔を開ける。
例えばＢ、マグネット付き台１５の内側内面形状を凸または、凹に加工する。
例えばＣ、台座３５の表面形状を凸または凹に加工する。
尚、マグネット付き台１５の空洞部に空気を吸い込ませる方法、例えばＡ〜例えばＣは上記に記載の実施例１のスリット７７の方法と略同様で同一であり詳細説明は省略する。
【実施例２】
【００１８】
生ゴミを粉砕処理するディスポーザの運転／停止用ＯＮ／ＯＦＦスイッチの蓋方式とは方式についてその具体的な方法を実施例２で説明する。
別方式は、実施例１のシンクの縁上部周りのステンレ板４５の裏側面に取り付け固定した磁気式近接スイッチ５５とマグネット付き台１５とを組み合わせた磁気式近接スイッチ方式１のディスポーザ用ＯＮ／ＯＦＦスイッチである。
この磁気式近接スイッチ方式１と制御用リレーとで構成する磁気式近接スイッチ制御方式の電気制御システムはディスポーザの運転また停止用に利用している。
ディスポーザ用ＯＮ／ＯＦＦスイッチに利用する磁気式近接スイッチ制御方式の電気制御システムは防水安全性能を重視する水廻りに使用すると有効性を発揮する。
【００１９】
前記磁気式近接スイッチ制御方式の電気制御システムを利用して、モータ駆動中は同時に難聴の方や盲人の方に点灯や光点滅表示また音量で知らせる仕組みとしている。
その点灯や光点滅表示の仕組みは、透過性の材質で造られたディスポーザの生ゴミ投入口部や粉砕室の外部からＬＥＤで点灯また光点滅表示することで生ゴミ投入口から見え確認できるようになっている。
【００２０】
このように、ディスポーザと磁気式近接スイッチ制御方式との組み合わせであれば、各家庭の水回は雑菌汚染などの心配がなく衛生的でしかも感電等電気災害事故を排除でき防水安全性能の高い人に優しい電気制御システムにすることができる。
その防水安全性能を高める手段として、磁気式近接スイッチ制御方式を採用し磁気式近接スイッチ５５を通じて略２０ｍＡの小さな電流を電気回路に流すだけで制御用リレー内の電気磁石を動かし制御用リレーの接点が入り、１００Ｖ電源から前記接点を通じて電気がモータに流れ回転する仕組みなので感電等電気災害事故の起こらない安全で人に優しい電気制御システムとなっている。
【００２１】
したがって、技術背景で述べた米国など海外の従来方式では、１００Ｖ電源から運転／停止用ＯＮ／ＯＦＦスイッチを通じて直接ディスポーザを駆動させるのでＯＮ／ＯＦＦスイッチに１００Ｖ電圧と多くの電流（モータの駆動時は突入電流として定格電流の略３倍の電流）が流れ危険であり電気安全面からも水廻りの感電等電気災害事故を排除し防水安全性能を高める必要性があるとした課題に対して、この磁気式磁気式近接スイッチ方式１と制御用リレーとで構成した磁気式近接スイッチ制御方式の電気制御システムを利用することは有効である。
【産業上の利用可能性】
【００２２】
この磁気式近接スイッチ方式１と制御用リレーとで構成した磁気式近接スイッチ制御方式による電気制御システムは、安価な防爆用スイッチとして利用が可能である。
【符号の説明】
【００２３】
１  磁気式近接スイッチ方式
１１  接面周囲
１２  押し部
１３  溝部
１５  マグネット付き台
２５  マグネット
３５  台座
４５  ステンレス板
５５  磁気式近接スイッチ
６７  空洞部
７７  スリット
９５  ワークトップ
【図１】
0005394973.tif 000002
【図２】
0005394973.tif 000003